(57)【要約】【課題】デジタル放送の視聴再生が途切れることがなく連続して行えるとともに、無線通信の通信コストを抑制した携帯通信端末および、デジタル放送補完のための装置、システムを提供する。【解決手段】基地局ＢＴＳとの間で無線通信する携帯電話端末ＭＳ、および基地局ＢＴＳに接続されるデジタル放送補完装置３を、それぞれデジタル放送受信可能にする。携帯電話端末ＭＳはデジタル放送のＴＳパケットを複号化し、複号化できないＴＳパケットからパケットＩＤを検出し、無線通信データとして携帯電話回線網を介してデジタル放送補完装置３に無線送信する。デジタル放送補完装置３は受信したパケットＩＤに対応するＴＳパケットを、デジタル放送データストレージから検出し、無線通信データとして携帯電話回線網を介して携帯電話端末ＭＳに送信する。携帯電話端末ＭＳは、受信したＴＳパケットを用いてデジタル放送を補完し、視聴再生する。【選択図】図１
2007142677.tif 000002
【特許請求の範囲】
【請求項１】
放送局から放送されるデジタル放送データを受信するデジタル放送受信部と、基地局との間で無線通信データを送受信する無線通信部と、を備える携帯通信端末において、
前記デジタル放送受信部で正しく複号化できないデジタル放送データのデータ列を、前記無線通信部で要求し、取得するデータ列取得手段と、当該取得したデータ列でデジタル放送データを補完する補完手段と、補完されたデジタル放送データを視聴再生する視聴再生手段と、を有する携帯通信端末。
【請求項２】
前記デジタル放送受信部は視聴再生する前のデジタル放送データを蓄えるバッファを備え、
前記補完手段は前記バッファに蓄えられているデジタル放送データを補完し、前記視聴再生手段は前記バッファから出力されるデジタル放送データを視聴再生する請求項１に記載の携帯通信端末。
【請求項３】
前記データ列取得手段は、デジタル放送データのデータ列を識別するための識別子を検出する手段と、前記識別子を無線通信データとして前記無線通信部で送信する手段と、デジタル放送データのデータ列を無線通信データとして前記無線通信部で受信する手段と、を有する請求項１又は２に記載の携帯通信端末。
【請求項４】
携帯通信端末との間で無線通信データを送受信可能に構成される基地局に、通信可能に接続して構成されるデジタル放送補完装置であって、
デジタル放送データを記憶したデジタル放送データストレージと、携帯通信端末から送信された無線通信データから識別子を検出する識別子検出部と、前記デジタル放送ストレージから前記識別子に対応するデジタル放送データのデータ列を検出するデータ列検出部と、前記検出したデータ列を前記携帯通信端末に送信するデータ列送信部と、を備えるデジタル放送補完装置。
【請求項５】
基地局との間で無線通信データを送受信可能に構成される携帯通信端末、および基地局に通信可能に接続して構成されるデジタル放送補完装置、を含み、それぞれが、放送局から放送されるデジタル放送データを受信可能に構成されたデジタル放送補完システムであって、
前記携帯通信端末が、デジタル放送データを複号化する手段と、前記複号化したデジタル放送データを視聴再生する前に所定の時間だけバッファで蓄える手段と、前記複号化したデジタルデータのうち、正しく複号化できていないデータ列を識別するための識別子を検出する手段と、前記識別子を無線通信データとしてデジタル放送補完装置に送信する手段とを有し、
前記デジタル放送補完装置が、前記携帯通信端末から送信された無線通信データより前記識別子を検出する手段と、前記検出された識別子に対応するデジタル放送データのデータ列を、デジタル放送データを記憶したデジタル放送データストレージから検出する手段と、前記検出したデータ列を前記携帯通信端末に送信する手段とを有し、
前記携帯通信端末がさらに、前記デジタル放送補完装置から送信された無線通信データよりデジタル放送データのデータ列を検出する手段と、前記検出されたデジタル放送データのデータ列により、前記バッファに蓄えられたデジタル放送データを補完する手段と、前記バッファから出てきたデジタル放送データを視聴再生する手段と、を有するデジタル放送補完システム。
【請求項６】
請求項５に記載のデジタル放送補完システムであって、
前記デジタル放送補完装置が前記携帯通信端末に送信する無線通信データの情報量を、前記携帯通信端末の識別番号に対応付けて記憶する手段と、
前記携帯通信端末の識別番号に対応付けて記憶した無線通信データの情報量に従い、課金額を算出する手段と、を有するデジタル放送補完システム。
【発明の詳細な説明】
【技術分野】
【０００１】
この発明は、基地局を介して無線通信を行うとともに、放送局からのデジタル放送を受信して視聴する携帯通信端末に関するものである。さらに詳しくは、そのデジタル放送を受信する携帯通信端末のためにサービスを提供する基地局側の装置およびシステムに関するものである。
【背景技術】
【０００２】
従来、携帯電話端末などの携帯通信端末において、無線通信データを送受信するのみではなく、テレビジョン（ＴＶ）放送やラジオ放送などのデジタル放送が受信可能なものが各種考案されている。
【０００３】
このような無線通信とデジタル放送受信のためのそれぞれの回路を１つの筐体内に備える装置として、ＴＶ付携帯電話端末があり、地上波デジタルＴＶ放送の開始に伴い、様々なサービスが考案されている。
【０００４】
特許文献１では、ＴＶ付携帯電話端末を用いて電子番組情報をデジタルＴＶ放送から取得し、ＴＶ付携帯電話端末の画面に表示し、自宅に設置したビデオ装置への番組録画命令を、ＴＶ付携帯電話端末のユーザ操作に従い携帯電話回線網を介して送信する構成が示されている。
【０００５】
また、特許文献２では、ＴＶ付携帯電話端末を用いてユーザが視聴していたデジタルＴＶ放送のコンテンツについて、ユーザが見逃したコンテンツ部分を特定しておき、そのコンテンツ部分をダイジェスト編集、高速再生編集したサービスコンテンツをユーザ操作に従い携帯電話回線網を介してＴＶ付携帯電話端末が取得し、ユーザがＴＶ付携帯電話端末を用いて、サービスコンテンツを視聴する構成が示されている。
【特許文献１】特開２００２−３５３９１５公報
【特許文献２】特開２００４−３４９９３２公報
【発明の開示】
【発明が解決しようとする課題】
【０００６】
ところで、デジタルＴＶ放送のようなデジタル放送の特徴としては、何重もの誤り訂正符号化（ＦＥＣ）を行うことで、極めて優れた通信品質を実現することが挙げられる。
【０００７】
しかしながら、ＴＶ付携帯電話端末のような携帯通信端末は、デジタル放送であるからといって受信状態の悪化を完全に回避できるものではなく、端末自体が建物などの影に移動したりすることで、雑音や妨害、送信波の減衰が強くなりデジタル放送の受信状態が悪化する場合があった。
【０００８】
そのような問題が生じた場合に、前述の特許文献１や特許文献２の技術を用いて、放送を視聴し直すことも可能であるが、視聴者の立場からするとそのような操作を必要とせずに、放送が途切れることなくリアルタイムに視聴できる携帯電話端末に対する要求も強いものであった。
【０００９】
また、特許文献２のサービスのように、何らかのサービスコンテンツを携帯電話回線網などから無線通信データとして取得する場合には、利用する情報量に伴い通信コストも増大することが一般であり、この点から情報量を抑制することも必要である。
【００１０】
そこで、本発明の目的は、デジタル放送の視聴再生が途切れることがなく連続して行えるとともに、無線通信の通信コストを抑制した携帯通信端末を提供することにある。また、そのデジタル放送補完のための装置およびシステムを提供する。
【課題を解決するための手段】
【００１１】
この発明は、放送局から放送されるデジタル放送データを受信するデジタル放送受信部と、基地局との間で無線通信データを送受信する無線通信部と、を備える携帯通信端末において、前記デジタル放送受信部で正しく複号化できないデジタル放送データのデータ列を、前記無線通信部で前記無線通信データとして要求し、取得するデータ列取得手段と、当該取得したデータ列でデジタル放送データを補完する補完手段と、補完されたデジタル放送データを視聴再生する視聴再生手段と、を有する携帯通信端末を提供する。
【００１２】
この構成では、正しく複号化できないデジタル放送データのデータ列を、無線通信回線網を用いた無線通信データとして取得し、デジタル放送データを補完する。これにより、携帯通信端末では視聴再生を途切れることがなく連続して行え、また、正しく複号化できないデータ列のみを無線通信データとして取得するために、通信コスト、特に受信コストを抑制できる。また、視聴者からの何らの操作も必要とせずにデジタル放送を連続して視聴再生できる。
【００１３】
一般的に、デジタル放送はＭＰＥＧ（Ｍｏｖｉｎｇ  Ｐｉｃｔｕｒｅ  Ｅｘｐｅｒｔｓ  Ｇｒｏｕｐ）規格などにより定まったパケット方式でコンテンツデータの符号化が行われており、それぞれのパケットには個別の識別符号（パケットＩＤ）や、ＦＥＣ（Ｆｏｒｗａｒｄ  Ｅｒｒｏｒ  Ｃｏｒｒｅｃｔｉｏｎ）などの誤り訂正符号がパケットヘッダに付加されている。
【００１４】
そこで、このようなパケット方式のデジタル放送を受信する場合には、誤り訂正符号（ＦＥＣ）を用いたビットエラーの補正を行い、それでも復号化できないパケット（エラーパケット）について、本発明では無線通信データとして無線通信回線網を介して取得する。そして、エラーパケットを、無線通信データとして取得したパケットに置換え、エラー補正を行う。これにより携帯通信端末では、エラーパケットによって視聴再生が途切れることがなくなり、デジタル放送のコンテンツデータの再生が連続して行える。また、デジタル放送処理部がエラーパケットに対応するパケットのみを無線通信データとして取得するため、通信コスト、特に受信コストを抑制できる。
【００１５】
また、この発明の携帯通信端末では、前記デジタル放送受信部は視聴再生する前のデジタル放送データを蓄えるバッファを備え、前記補完手段は前記バッファに蓄えられているデジタル放送データを補完し、前記視聴再生手段は前記バッファから出力されるデジタル放送データを視聴再生する。
【００１６】
この構成では、バッファにデジタル放送データを蓄え、ビットエラーのあるデータ列がバッファに存在する間に補完することにより、視聴者に対して、デジタル放送の受信状態が悪化したことを気づかせることが無く、デジタル放送を連続して視聴再生できる。バッファに蓄えることで、デジタル放送の視聴再生が完全にはリアルタイムで無くなるが、バッファに蓄える時間を必要最低限に設定することで利用者にストレスを感じさせること無く、略リアルタイムにデジタル放送を視聴再生できる。
【００１７】
パケット方式のデジタル放送を受信する場合には、バッファにパケットをいくつか蓄えておき、エラーパケットが発生すると、そのエラーパケットがバッファに蓄えられている間に、無線通信データとしてパケットを取得し、エラーパケットに置き換えることでエラー補正を行う。
【００１８】
また、この発明の携帯通信端末では、前記データ列取得手段は、デジタル放送データのデータ列を識別するための識別子を検出する手段と、前記識別子を無線通信データとして前記無線通信部で送信する手段と、デジタル放送データのデータ列を無線通信データとして前記無線通信部で受信する手段と、を有する。
【００１９】
この構成では、ビットエラーのあるデータ列を識別する識別子を検出し、その識別子のみを無線通信データとして送信することにより、無線通信の通信コストのうち、特に送信コストを抑制できる。
【００２０】
パケット方式のデジタル放送を受信する場合には、パケットヘッダに付加されているパケットＩＤを前記識別子とする。即ち、エラーパケットのパケットＩＤを検出し、そのパケットＩＤのみを無線通信データとして送信することにより、送信コストを抑制できる。
【００２１】
また、この発明は、携帯通信端末との間で無線通信データを送受信可能に構成される基地局に、通信可能に接続して構成されるデジタル放送補完装置であって、デジタル放送データを記憶したデジタル放送データストレージと、携帯通信端末から送信された無線通信データから識別子を検出する識別子検出部と、前記デジタル放送ストレージから前記識別子に対応するデジタル放送データのデータ列を検出するデータ列検出部と、前記検出したデータ列を前記携帯通信端末に送信するデータ列送信部と、を備えるデジタル放送補完装置を提供する。
【００２２】
この構成では、デジタル放送補完装置は識別子の受信により、デジタル放送の視聴再生を行うためのデータ列を送信する。このように、識別子とその識別子に対応したデータ列のみを送受信するために、通信コストを最大限抑制できる。
【００２３】
パケット方式のデジタル放送を対象とする場合には、無線通信データとしてパケットＩＤを受信すると、そのパケットＩＤに対応するパケットを無線通信データとして送信する。これにより、パケットＩＤとそれに対応したパケットのみの送受信に通信コストを抑制できる。
【００２４】
また、この発明は、基地局との間で無線通信データを送受信可能に構成される携帯通信端末、および基地局に通信可能に接続して構成されるデジタル放送補完装置、を含み、それぞれが、放送局から放送されるデジタル放送データを受信可能に構成されたデジタル放送補完システムであって、前記携帯通信端末が、デジタル放送データを複号化する手段と、前記複号化したデジタル放送データを視聴再生する前に所定の時間だけバッファで蓄える手段と、前記複号化したデジタルデータのうち、正しく複号化できていないデータ列を識別するための識別子を検出する手段と、前記識別子を無線通信データとしてデジタル放送補完装置に送信する手段とを有し、前記デジタル放送補完装置が、前記携帯通信端末から送信された無線通信データより前記識別子を検出する手段と、前記検出された識別子に対応するデジタル放送データのデータ列を、デジタル放送データを記憶したデジタル放送データストレージから検出する手段と、前記検出したデータ列を前記携帯通信端末に送信する手段とを有し、前記携帯通信端末がさらに、前記デジタル放送補完装置から送信された無線通信データよりデジタル放送データのデータ列を検出する手段と、前記検出されたデジタル放送データのデータ列により、前記バッファに蓄えられたデジタル放送データを補完する手段と、前記バッファから出てきたデジタル放送データを視聴再生する手段と、を有するデジタル放送補完システムを提供する。
【００２５】
また、この発明のデジタル放送補完システムでは、前記デジタル放送補完装置が前記携帯通信端末に送信する無線通信データの情報量を、前記携帯通信端末の識別番号に対応付けて記憶する手段と、前記携帯通信端末の識別番号に対応付けて記憶した無線通信データの情報量に従い、課金額を算出する手段と、を有する。
【００２６】
これらの構成では、携帯通信端末によるデジタル放送の視聴再生を途切れることがなく連続して行うことができる。また、無線通信データの通信コストを最大限抑制するとともに、その情報量および通信コストに適切な課金額を算出できる。
【発明の効果】
【００２７】
この発明によれば、携帯通信端末によるデジタル放送の視聴再生を略リアルタイムに、途切れることなく行うことができる。また、無線通信データの通信コストを抑制するとともに、その情報量および通信コストに対して適切な課金額を求めることできる。
【発明を実施するための最良の形態】
【００２８】
本発明の第１の実施形態に係る携帯通信端末およびデジタル放送補完装置からなるシステムについて図１〜図４を参照して説明する。
【００２９】
まず、図１に本実施形態に係る無線通信およびデジタル放送の概要を示す。
本実施形態では、ＭＰＥＧ２規格により定まるＴＳ（Ｔｒａｎｓｐｏｒｔ  Ｓｔｒｅａｍ）パケット形式でＴＶコンテンツデータが符号化されたデジタルＴＶ放送を受信するＴＶ付携帯電話端末の例に基づいて説明する。
ここで携帯電話端末（Ｍｏｂｉｌｅ  Ｓｔａｔｉｏｎ）ＭＳは、セルラ方式で基地局（Ｂａｓｅ  Ｔｒａｎｓｆｅｒ  Ｓｔａｔｉｏｎ）ＢＴＳと無線通信を行う。セルラ方式では、サービス対象の広い地域を細かい地域に分割したセルごとに基地局ＢＴＳを設置する。
【００３０】
基地局制御装置ＢＳＣ（Ｂａｓｅ  Ｓｔａｔｉｏｎ  Ｃｏｎｔｒｏｌｌｅｒ）には、複数の基地局ＢＴＳを接続する。そして、携帯電話端末ＭＳの移動に伴い、複数の異なる基地局ＢＴＳ間で連携（ハンドオーバー）をとりながら無線通信するようにしている。この基地局制御装置ＢＳＣは、交換機（不図示）を介して固定電話回線網や他のキャリアの事業者回線網、インターネットなどに用いられるＩＰ回線網などの公衆回線網１に接続している。
【００３１】
放送局２は携帯電話端末ＭＳ向けのデジタルＴＶのコンテンツデータを、ＭＰＥＧ２規格により定まるＴＳパケット形式で符号化し、放送電波にのせて放送している。
【００３２】
携帯電話端末ＭＳはＴＶ付携帯電話端末であり、前述のセルラ方式の無線通信に加え、放送局２からのデジタルＴＶ放送の放送電波を受信する。そして、受信した放送電波からＴＳパケットを複号化するが、本発明では電波状態が悪くＴＳパケットを正しく複号化できない場合には、エラーパケットを無線通信により取得し直すことで高品位にコンテンツデータの再生を行う。
【００３３】
一方、基地局ＢＴＳにはデジタル放送補完装置３を接続しており、このデジタル放送補完装置３で放送局２からのデジタルＴＶ放送の放送電波を受信し、ＴＳパケットを複号化および記憶する。また、デジタル放送補完装置３は、携帯電話端末ＭＳからの要求信号に従って所定のＴＳパケットをその携帯電話端末ＭＳに対して送信する。また、その携帯電話端末ＭＳの携帯端末ＩＤと、その携帯電話端末ＭＳに送信するＴＳパケットの数とを累積して記憶するようにしている。
【００３４】
これにより本実施形態では、携帯電話端末ＭＳでのデジタルＴＶ放送の視聴再生を途切れることなく連続して行うことができ、携帯電話回線網を用いた無線通信データの通信コストを抑制するとともに、その情報量および通信コストに対して適切な課金額を求めることができる。
【００３５】
次に、デジタル放送補完装置３の構成について、図２に示すブロック図に基づいて説明する。
デジタル放送補完装置３は、該装置３全体の動作を統括して制御するＣＰＵやＲＯＭ（不図示）などからなる処理部１０、アプリケーションプログラムなどを記憶するストレージ１２、放送電波を受信してＴＳパケットを複号化するデジタル放送デコード部１７、を備えている。デジタル放送デコード部１７で複号化したＴＳパケットは、ストレージ１２に必要に応じて所定数だけ記憶する。またデジタル放送補完装置３は、ストレージ１２に記憶された各プログラムをロードするＲＡＭ１１を備えている。このＲＡＭ１１は一時的にデータを記憶する揮発性メモリである。また、通信制御インターフェイス（ＩＦ）１６を介して基地局ＢＴＳ内の他の装置に接続している。また、入出力制御インターフェイス（ＩＦ）１３には、マウスやキーボードなどの入力装置１４、プリンタやモニタなどの出力装置１５、ストレージメディアの記録再生装置（不図示）を接続している。
【００３６】
このような構成で、処理部１０はストレージ１２に記憶された各種アプリケーションプログラムをＲＡＭ１１上にロードして処理を実行する。
【００３７】
具体的には、デジタル放送デコード部１７により複号化したデジタル放送のデータをＴＳパケットごとにストレージ１２に記憶する処理、通信制御ＩＦ１６を介して受信した要求信号からパケットＩＤを取得する処理、パケットＩＤを用いてストレージ１２に記憶しておいたＴＳパケットを検索する処理、検索したＴＳパケットと要求信号を送信してきた携帯電話端末ＭＳの携帯端末ＩＤとを対応付けて応答信号を生成し、通信制御ＩＦ１６を介して基地局ＢＴＳに送信する処理、その携帯電話端末ＭＳに送信したＴＳパケットの数と携帯端末ＩＤとをストレージに記憶する処理を行う。
【００３８】
次に、本実施形態に係るＴＶ付携帯電話端末ＭＳの構成の一部について、図３に示すブロック図に基づいて説明する。
【００３９】
ＴＶ付携帯電話端末ＭＳは、デジタルＴＶ放送受信部１００と無線通信部２００とを備える。
デジタルＴＶ放送受信部１００はＴＶ用アンテナ１０１、デジタルＴＶ受信部１０２、デジタルＴＶ復調部１０３、シフトレジスタ１０４、ＭＰＥＧデコーダ１０５、ＴＳパケット要求部１０６を備える。
また無線通信部２００は電話用アンテナ２０１、デュプレクサ２０２、送信回路２０３、音声変調回路２０４、マイク２０５、受信回路２０６、プロセッサ２０７、音声復調回路２０８、スピーカー２０９、を備える。
なお、ここではプロセッサ２０７を無線通信部２００に備えるように図示しているが、このプロセッサ２０７は、デジタルＴＶ放送受信部１００を含む自携帯電話端末ＭＳ全体の制御処理を行うＭＰＵのようなプロセッサであってもよく、その場合には無線通信に関する処理のみではなく、デジタルＴＶ放送に関する処理もこのプロセッサ２０７で行うようにすればよい。
【００４０】
通常の携帯通信において、自端末が通話開始する場合、ユーザが操作部（図示せず）を操作して発信操作を行うと、プロセッサ２０７は、相手先の電話番号情報に基づき通話開始要求情報を生成してデジタルデータに変換し、送信回路２０３で無線通信の変調信号に変調する。この通話開始要求情報の乗った無線通信の変調信号はデュプレクサ２０２を介して電話用アンテナ２０１から送信する。
【００４１】
一方、自端末が他の端末からの通話開始要求情報の発信信号を受信した場合には、受信回路２０６で発信信号の乗った無線通信の変調信号を復調し、プロセッサ２０７で発信信号を解析して液晶表示部（不図示）に相手電話番号を表示する等の処理を行う。そして、ユーザにより操作部で通話開始許可の操作が行われれば、プロセッサ２０７は応答信号を生成し、この応答信号をデジタルデータに変換して送信回路２０３に出力する。送信回路２０３はこの応答信号に基づくデジタルデータを無線通信の変調信号に変調し、デュプレクサ２０２を介して電話用アンテナ２０１から送信する。
【００４２】
また、通話処理の場合には、マイク２０５はユーザの発話を受けて音声変調回路２０４でデジタル変換し、送信回路に出力する。送信回路では、デジタル変換された音声信号を無線通信の変調信号に変調し、デュプレクサ２０２を介して電話用アンテナ２０１から出力する。また、相手側からの音声信号の乗った無線通信の変調信号を電話用アンテナ２０１で受信すると、デュプレクサ２０２を介して受信回路２０６に入力し、受信回路２０６で応答信号を復調する。復調した応答信号を音声復調回路２０８で音声信号を再生し、スピーカー２０９に出力する。
【００４３】
テレビ番組を視聴する場合には、ＴＶ用アンテナ１０１でデジタルＴＶ放送の放送電波を受信すると、テレビジョンＴＶ受信部１０２は、放送電波を変換したベースバンド信号を出力する。ここではデジタルＴＶ受信部１０２にはダイレクトコンバージョン方式のＲＦ回路を構成しており、ベースバンド信号を、Ｉ信号（Ｉｎ−ｐｈａｓｅ信号）と、Ｑ信号（Ｑｕａｄｒａｔｕｒｅ−ｐｈａｓｅ信号）の２つのチャンネルに分けて出力する。
【００４４】
ベースバンド信号は、デジタルＴＶ受信部１０２からデジタルＴＶ復調部１０３に出力される。デジタルＴＶ復調部１０３では復調および誤り訂正符号（ＦＥＣ）の複号化をして、ベースバンド信号をＭＰＥＧ形式のＴＳパケットに変換する。
【００４５】
変換したＴＳパケットはデジタルＴＶ復調部１０３からシフトレジスタ１０４に出力する。シフトレジスタ１０４は所定のビット数だけデジタルデータを遅延させる多数のフリップフロップからなるデバイスであり、ＴＳパケットを１ビットずつ順番に所定時間だけ蓄える。このシフトレジスタ１０４がデジタル放送データを蓄えるバッファの役割を果たすが、その詳しい動作については後述する。
【００４６】
デジタルＴＶ復調部で復調したＴＳパケットに、ほとんど誤りが無い場合（エラーパケットでは無い場合）には、シフトレジスタ１０４に蓄えられたＴＳパケットはそのままＭＰＥＧデコーダ１０５に出力する。ＭＰＥＧデコーダ１０５では、ＴＳパケットからコンテンツデータをデコードし、映像信号と音声信号とを再生して液晶表示部（不図示）に出力する。液晶表示部は映像を表示画面上に表示するとともに、スピーカ（不図示）から音声を出力する。
【００４７】
ＴＳパケットを正しく複号化できなかった場合、ＴＳパケット要求部１０６はエラーパケットの発生を検知し、そのエラーパケットのパケットＩＤを取得する。エラーパケットのパケットＩＤ自体が複号化できなかった場合には、その前後のＴＳパケットのパケットＩＤから、エラーパケットのパケットＩＤを識別してＴＳパケット要求部１０６に出力する。ＴＳパケット要求部１０６では、そのパケットＩＤを、自端末の識別符号（携帯端末ＩＤ）とともにＴＳパケットの要求信号に変換し、無線通信部２００の送信回路２０３に出力する。なお、このＴＳパケット要求部１０６の機能はプロセッサ２０７により実現してもよい。
【００４８】
無線通信部２００では、ＴＳパケットの要求信号を送信回路２０３で変調し、デュプレクサ２０２を介して電話用アンテナ２０１から出力する。
【００４９】
電話用アンテナ２０１から出力された要求信号は基地局ＢＴＳを介してデジタル放送補完装置３に入力される。デジタル放送補完装置３は要求信号から検出したパケットＩＤに対応したＴＳパケットをストレージ１２から検索する。検索したＴＳパケットは、要求信号に含まれる携帯端末ＩＤに従って携帯電話端末ＭＳに送信する。なお、携帯端末ＩＤを検出する処理は、基地局ＢＴＳで行い。デジタル放送補完装置３には携帯端末ＩＤを入力しないように構成することもでき、その場合には課金額を算出するために、基地局ＢＴＳで携帯端末ＩＤとパケット通信量を記憶しておくとよい。
【００５０】
携帯電話端末ＭＳは基地局ＢＴＳを介してデジタル放送補完装置３から送信されたＴＳパケットが乗った無線通信の変調信号を受信する。受信回路２０６は、受信した無線通信の変調信号からＴＳパケットを復調する。プロセッサ２０７はＴＳパケットを識別し、識別したＴＳパケットを、音声復調回路２０８ではなくデジタルＴＶ放送受信部１００に出力する。デジタルＴＶ放送受信部１００では、プロセッサ２０７から入力されたＴＳパケットをシフトレジスタ１０４に蓄えられたエラーパケットと置き換える。これにより、ビットエラーの無いＴＳパケットのみがシフトレジスタ１０４からＭＰＥＧデコーダ１０５に出力されることになる。ＭＰＥＧデコーダ１０５では、ビットエラーの無いＴＳパケットから映像デジタルデータをデコードし、映像信号と音声信号とを再生して液晶表示部（不図示）に出力する。液晶表示部は、入力された映像信号を表示画面上に表示するとともに、スピーカ（不図示）から音声を出力する。
【００５１】
これにより、視聴再生が途切れることがなく連続して行え、携帯電話端末ではエラーパケットのみを受信するため無線通信の受信コストを抑制できる。また、パケットＩＤのみを送信するために送信コストも抑制できる。
【００５２】
次に、シフトレジスタ１０４の動作について、図４に基づいて説明する。
【００５３】
図４では、説明を簡易にするため、蓄えるビット数を小さくしてシフトレジスタ１０４を表示している。また、図示の都合上、ＴＳパケットのシーケンス長を６ビットとして説明するが、実際には、ＩＳＤＢ−Ｔ規格やＤＶＢ−Ｔ規格のＴＳパケットは１８８バイトあるいは２０４バイトのシーケンス長であり、そのためにシフトレジスタ１０４のビット数をパケットのシーケンス長の数倍、即ち、数百〜数万ビット数として、シフトレジスタ１０４に、常に数パケット〜数百パケットを記憶するように構成すると好適である。
【００５４】
シフトレジスタ１０４は、所定のビット数だけデジタルデータを蓄えるデバイスであり、デジタルＴＶ復調部１０３から１ビットずつシリアル入力されるＴＳパケットを、Ｃｌｏｃｋ信号の周期で１ビットずつ記憶し、端から送っていくものである。なお、ここでＣｌｏｃｋ信号は、デジタルＴＶ復調部１０３とプロセッサ２０７とを同期する。また、シフトレジスタ１０４にはデジタルＴＶ復調部１０３からＣｌｏｃｋ信号が入力されるものとしたが、他の回路から入力されるように構成しても良い。
【００５５】
シフトレジスタ１０４では、その内部に蓄えるビット数とＣｌｏｃｋ信号の周波数とにより、所定の時間だけ遅延して、ＴＳパケットを１ビットずつ出力する。ここで、シフトレジスタ１０４の内部に蓄えるビット数をＭ  ［ｂｉｔ］とし、Ｃｌｏｃｋ信号の周波数をｆ  ［Ｈｚ］とすると、Ｍ／ｆ  ［ｓ］の時間だけＴＳパケットは遅延することになる。この遅延時間（Ｍ／ｆ  ［ｓ］）は、前述の無線通信を用いてＴＳパケットを入手するのに必要な時間に基づいて設定しておけばよい。
【００５６】
プロセッサ２０７は、シフトレジスタ１０４に蓄えられているエラーパケットを、入手したＴＳパケットに置き換える場合、Ｌｏａｄ  Ｅｎａｂｌｅ端子をＥｎａｂｌｅにするとともに、パラレルに接続した複数の書換え端子のうち、エラーパケットの位置のビットに対応する書換え端子に書換えの信号を与える。この書換え信号を与える端子の位置、およびタイミングは、プロセッサ２０７や他の集積回路、カウンターなどを用いて把握するように構成するとよい。
【００５７】
以上のように、シフトレジスタ１０４にＴＳパケットを蓄え、シフトレジスタ１０４に蓄えられている間に、上記ＴＳパケットを補完するために、視聴者に対して、デジタル放送の受信状態が悪化したことを気づかせることが無く、また、視聴者からの何らの操作も必要とせずにデジタル放送を連続して再生できる。
【００５８】
次に、シフトレジスタ１０４によるＴＳパケットの遅延時間の設定について説明する。
【００５９】
このシフトレジスタ１０４によるＴＳパケットの遅延時間は、無線通信データとしてＴＳパケットを入手するために必要な時間に設定すれば好適であるが、その時間は、無線通信の基地局ＢＴＳと携帯電話端末ＭＳとの間での無線通信に要する時間と、基地局ＢＴＳとデジタル放送補完装置３との間の通信に要する時間と、デジタル放送補完装置３の内部処理時間と、の合計時間に略等しい。
【００６０】
本実施形態のように、基地局ＢＴＳにデジタル放送補完装置３が直接接続されている場合には、基地局ＢＴＳとデジタル放送補完装置３との間の通信に要する時間は、ほとんど無視できる。
【００６１】
また、デジタル放送補完装置３で、ストレージに記憶するＴＳパケットのうち、所定時間記憶したＴＳパケットを削除して、携帯電話端末ＭＳのシフトレジスタに記憶できる程度の数パケット〜数百パケットのみをストレージに記憶するように構成すると、ＴＳパケットの検索に要する時間の削減ができる。この場合には、デジタル放送補完装置３の内部処理時間をほとんど無視できる。なお、このＴＳパケットを削除する処理は処理部によるアプリケーションプログラムとして実現できる。
【００６２】
また、基地局ＢＴＳと携帯電話端末ＭＳとの間での無線通信に要する時間は、基地局と携帯電話端末とのセル内での最大の往復距離をＸ［ｍ］とすれば、最大でＸ／Ｃ［ｓ］となる。ここでＣは光速（Ｃ［ｍ／ｓ］）である。
【００６３】
そこで、基地局ＢＴＳとデジタル放送補完装置３との間の通信に要する時間と、デジタル放送補完装置３の内部処理時間とを小さくした場合には、基地局ＢＴＳと携帯電話端末ＭＳとの間での無線通信に要する時間だけ、シフトレジスタ１０４によるＴＳパケットの遅延時間を設定すればよく、従って、前述のＣｌｏｃｋ信号の周期をｆ［Ｈｚ］として、シフトレジスタのビット長をＭ［ｂｉｔ］としたシフトレジスタ１０４の遅延時間（Ｍ／ｆ［ｓ］）を、基地局ＢＴＳと携帯電話端末ＭＳとの間での無線通信に要する最大の時間（Ｘ／Ｃ［ｓ］）になるように設定すれば好適である。
【００６４】
以上のように、本実施形態では、デジタル放送補完装置３でのストレージを放送電波の受信により行う。なお、本発明はこの実施形態に限らず、放送局２とデジタル放送補完装置３とが光ケーブルなどによって有線通信する構成であっても実施できる。また、放送局事業者と無線通信事業者が同一である場合には、ストレージメディアを用いて放送局２とデジタル放送補完装置３との間でデジタルＴＶコンテンツデータの整合をとっておくようにすることも可能である。この場合には放送局２とデジタル放送補完装置３との間で、必ずしも通信が必要ではない。
【００６５】
また、本実施形態では、デジタル放送補完装置３を基地局ＢＴＳに接続されるものとしたが、デジタル放送補完装置３は必ずしも基地局ＢＴＳに接続される必要は無く、基地局制御装置ＢＳＣに接続されるものでもよい。これにより、セルラ方式の基地局ＢＴＳ全てにデジタル放送補完装置３を接続しておく必要が無くなり、設置するデジタル放送補完装置３の総数を少なくすることができる。この場合には、携帯電話端末ＭＳのシフトレジスタ１０４による遅延時間を、基地局制御装置ＢＳＣと基地局ＢＴＳとの間での通信時間を加えた最大の時間とするとよい。
【００６６】
また、デジタル放送補完装置３は公衆回線網１を介して基地局制御装置ＢＳＣに接続されるようにしても良い。さらにはＩＰ回線網を介してデジタル放送補完装置３を接続するようにすると好適であり、これによりデジタル放送補完装置３として一般的なＩＰマルチキャストサーバ装置を用いることができる。この場合には、携帯電話端末ＭＳのＴＳパケットを再生する前の遅延時間に、基地局ＢＴＳが公衆回線網１を介して基地局制御装置ＢＳＣと通信するのに必要な時間を加えた時間とするとよいが、その際にはシフトレジスタ１０４に替えて磁気記憶装置などの大容量のストレージを用いると好適である。磁気記憶装置を用いる場合であっても、ＴＳパケットのビット列の順送りや、ビットの書換えなどはプロセッサ２０７、又は別に設けた論理回路やＭＰＵなどを用いた処理によって実現できる。
【００６７】
次に、他の実施形態に係る携帯電話端末ＭＳを説明する。図５は、携帯電話端末ＭＳのシフトレジスタ３０４の動作について説明する図である。
【００６８】
図５では、図４と同様に説明を簡易にするため、蓄えるビット数を小さくしてシフトレジスタ３０４を表示している。また、ＴＳパケットのシーケンス長を６ビットとして説明する。
【００６９】
デジタルＴＶ復調部３０３からのＣｌｏｃｋ信号の周期は、シフトレジスタとともにプロセッサ３０７に出力している。なお、ここでＣｌｏｃｋ信号は、プロセッサ３０７とデジタルＴＶ復調部３０３とで同期したものであり、デジタルＴＶ復調部３０３からシフトレジスタ３０４に入力されるものとしたが、他の回路から入力するように構成しても良い。
【００７０】
ＴＳパケットの複号化が正しく行われなかった場合には、無線通信によってＴＳパケットを入手し、プロセッサ３０７がその入手したＴＳパケットを、シフトレジスタ３０４に蓄えられているエラーパケットに置き換える。具体的には、プロセッサ３０７が、その入手したＴＳパケットをラッチ又はメモリに一時保存しておき、また、シフトレジスタ３０４の終端のビットに対応するように接続した書換え端子に、書換えの信号を与えるとともに、Ｌｏａｄ  Ｅｎａｂｌｅ端子をＥｎａｂｌｅにする。この書換えの信号を与えるタイミングは、この終端のビットにエラーパケットの各ビットが位置するビットごとのタイミングである。このようにしても、シフトレジスタ３０４を用いたＴＳパケットの置換えを実施でき、ビットエラーのないＴＳパケットのみをＭＰＥＧデコーダ３０５に出力できる。シフトレジスタ３０４終端のビットを書換えることで、シフトレジスタ３０４による遅延時間がビット数に比例したものとなる。なお、以上のプロセッサ３０７で行った処理は、論理回路やＭＰＵで行ってもよく。構成を問わずに実施できる。
【００７１】
以上のように、シフトレジスタ３０４にＴＳパケットを蓄え、シフトレジスタ３０４に蓄えられている間に、上記ＴＳパケットを補完するために、視聴者に対して、デジタル放送の受信状態が悪化したことを気づかせることが無く、また、視聴者からの何らの操作も必要とせずにデジタル放送を連続して再生できる。
【００７２】
なお、以上の各実施形態で示すＭＰＥＧ２規格のデジタルＴＶ放送に本発明の実施は限らず、コンテンツに関する他のＭＰＥＧ４規格や、デジタル放送に関するＩＳＤＢ規格やＤＶＢ規格、他のコンテンツ（ラジオなど）などの、様々なデジタル放送であっても本発明は実施でき、パケット形式のデジタル放送を受信するものならば好適である。また、以上の各実施形態で示す携帯電話端末に限るものでもなく、基地局を介した無線通信を行う端末であれば好適である。
【図面の簡単な説明】
【００７３】
【図１】第１の実施形態に係るデジタル放送補完システムを示すブロック図である。
【図２】第１の実施形態に係るデジタル放送補完装置を示すブロック図である。
【図３】第１の実施形態に係るＴＶ付携帯電話端末を示すブロック図である。
【図４】第１の実施形態に係るシフトレジスタの動作を示す図である。
【図５】他の実施形態に係るシフトレジスタの動作を示す図である。
【符号の説明】
【００７４】
１−公衆回線網
２−放送局
３−デジタル放送補完装置
１０−処理部
１１−ＲＡＭ
１２−ストレージ
１４−入力装置
１５−出力装置
１７−デジタル放送デコード部
１００−デジタルＴＶ放送部
１０１−ＴＶ用アンテナ
１０２−デジタルＴＶ受信部
１０３、３０３−デジタルＴＶ復調部
１０４、３０４−シフトレジスタ
１０５、３０５−ＭＰＥＧデコーダ
１０６−ＴＳパケット要求部
２００−無線通信部
２０１−電話用アンテナ
２０２−デュプレクサ
２０３−送信回路
２０４−音声変調回路
２０５−マイク
２０６−受信回路
２０７、３０７−プロセッサ
２０８−音声復調回路
２０８−音声復調回路
２０９−スピーカー
ＢＳＣ−基地局制御装置
ＢＴＳ−基地局
ＭＳ−携帯電話端末
【図１】
2007142677.tif 000003
【図２】
2007142677.tif 000004
【図３】
2007142677.tif 000005
【図４】
2007142677.tif 000006
【図５】
2007142677.tif 000007
【手続補正書】
【提出日】平成18年11月1日(2006.11.1)
【手続補正１】
【補正対象書類名】明細書
【補正対象項目名】００２９
【補正方法】変更
【補正の内容】
【００２９】
まず、図１に本実施形態に係る無線通信およびデジタル放送の概要を示す。
本実施形態では、ＭＰＥＧ２規格により定まるＴＳ（Ｔｒａｎｓｐｏｒｔ  Ｓｔｒｅａｍ）パケット形式でＴＶコンテンツデータが符号化されたデジタルＴＶ放送を受信するＴＶ付携帯電話端末の例に基づいて説明する。
ここで携帯電話端末（Ｍｏｂｉｌｅ  Ｓｔａｔｉｏｎ）ＭＳは、セルラ方式で基地局（Ｂａｓｅ  Ｔｒａｎｓｃｅｉｖｅｒ  Ｓｔａｔｉｏｎ）ＢＴＳと無線通信を行う。セルラ方式では、サービス対象の広い地域を細かい地域に分割したセルごとに基地局ＢＴＳを設置する。